(57)【要約】【課題】表示の品質を高める表示装置を提供する。【解決手段】  駆動領域と非駆動領域とを有する表示パネルと、開口部を有し前記表示パネルの外周部分を覆う覆い部と、を備え、前記表示パネルの前記駆動領域は、前記駆動領域の図心を通る第１直線に対して対称であり、前記覆い部の前記開口部は、前記開口部の図心を通る第２直線に対して対称であり、前記第１直線と前記第２直線とを第１方向で見て平行に配置した面を平面視したとき、前記第１直線に対して垂直な方向において前記第１直線に対する一方と他方とで前記覆い部に覆われる前記駆動領域の長さが異なる表示装置。【選択図】図１
2017116822.tif 000002
【特許請求の範囲】
【請求項１】
駆動領域と非駆動領域とを有する表示パネルと、
開口部を有し前記表示パネルの外周部分を覆う覆い部と、
を備え、
前記表示パネルの前記駆動領域は、前記駆動領域の図心を通る第１直線に対して対称であり、
前記覆い部の前記開口部は、前記開口部の図心を通る第２直線に対して対称であり、
前記第１直線と前記第２直線とを第１方向で見て平行に配置した面を平面視したとき、前記第１直線に対して垂直な方向において前記第１直線に対する一方と他方とで前記覆い部に覆われる前記駆動領域の長さが異なる
表示装置。
【請求項２】
前記表示パネルは、
複数の画素電極が設けられた第１基板と、
前記画素電極に対向させられた対向電極が設けられた第２基板と、
前記第１基板と前記第２基板との間に配置され、粒子および分散媒を含む分散液を有し、前記画素電極と前記対向電極との間の電位差に応じて表示画像を形成する画像形成部と、
を備える
請求項１に記載の表示装置。
【請求項３】
前記第２基板の側であって前記第１基板とは反対の側に配置されて光源からの光を導光する導光体を備える
請求項２に記載の表示装置。
【請求項４】
前記駆動領域の形状と前記開口部の形状とは、相似形である
請求項１から請求項３のいずれか一項に記載の表示装置。
【発明の詳細な説明】
【技術分野】
【０００１】
本発明は、表示装置に関する。
【背景技術】
【０００２】
一般に、表示装置の一例として、電気泳動表示装置（ＥＰＤ：Ｅｌｅｃｔｒｏｐｈｏｒｅｔｉｃ  Ｄｉｓｐｌａｙ）が知られている。例えば、電気泳動表示装置の表示部として、一対の基板の間を隔壁によって複数の空間に区画し、各空間内に帯電性および分散性を有する粒子が注入された溶媒（以下、分散液と記載する）を封入した構成のものが知られている。なお、隔壁は、一例として、絶縁物質から生成される。
電気泳動表示装置は、２個の電極の間の分散液に電圧を印加して、粒子を所定の電極の側に移動させ、色（表示される色）および反射率が異なる粒子を分離させることにより、表示部の表示の内容を変えることができる。例えば、白に対応する粒子（「白色粒子」という）および黒に対応する粒子（「黒色粒子」という）を用いた白黒表示体では、白色粒子の光散乱を利用して白を表示させ、黒色粒子の光吸収性を利用して黒を表示させる。
【０００３】
電気泳動表示装置は、例えば、外光の反射により表示のコントラストが得られる反射型の表示装置として構成される。この場合、電気泳動表示装置では、夜間等の暗所で使用する場合を想定して、積層配置された導光板、および表示面を照らすフロントライト等の光源を有している。このことは、市販されている電気泳動表示装置でも同様である。
反射型表示体に対するフロントライトの照明構造が用いられる場合、表示面に均一に光が当たるように、表示面の上部に導光板を配置して、導光板の側面の光源から光を導光板に入光させることが行われる。
【０００４】
電気泳動表示装置には、周囲を隔壁によって囲まれた領域であって、分散液が注入された領域である駆動領域が存在する。この駆動領域は、例えば、分散液に電圧を印加する電極が近傍に存在する領域である。これに対して、電気泳動表示装置には、周囲を隔壁によって囲まれた領域であって、分散液が注入された領域である非駆動領域が存在する。この非駆動領域は、例えば、分散液に電圧を印加する電極が近傍に存在しない領域である。
これにより、非駆動領域に注入された分散液は、駆動領域に注入された分散液と比較して電圧の影響を受けにくい。つまり、非駆動領域に注入された分散液に含まれる粒子は、駆動領域に注入された分散液に含まれる粒子と比較して、電圧の印加に伴う移動が緩慢である。具体的には、非駆動領域の表示は、白と黒との中間色である灰色（例えば、白黒のムラ）の表示になる場合がある。非駆動領域の表示とは、ユーザーが視認することを目的としていない表示である。
【０００５】
一例として、特許文献１には、隔壁で複数のセルに区切られた分散媒を有する電気泳動層と、平面視で電気泳動層の周囲に設けられた額縁隔壁と、平面視で電気泳動層と額縁隔壁との間に設けられた液溜り部（非駆動領域に相当すると解される）を備えた電気泳動装置（電気泳動表示装置に相当すると解される）が記載されている（特許文献１参照）。
【先行技術文献】
【特許文献】
【０００６】
【特許文献１】特開２０１５−１８０６０号公報
【発明の概要】
【発明が解決しようとする課題】
【０００７】
電気泳動表示装置では、ユーザーに非駆動領域が視認されやすい場合があった。このように、ユーザーが視認することを目的としていない非駆動領域を視認できると、表示の品質が低下してしまう場合があった。
このような問題は、特に、電気泳動表示装置に導光板が備えられる場合に、より顕著であった。つまり、電気泳動表示装置の基板に導光板が重畳された構成では、当該電気泳動表示装置の筐体と表示部との距離が導光板の厚みだけ離れ、これにより、ユーザーが非駆動領域を視認できる範囲が広くなる。
【０００８】
この問題について詳しく説明する。
すなわち、分散液の上部には透明な上電極基板が配置されるため、表示面（分散液界面）が筐体の表示枠に対して、上電極基板の厚みだけ離れた位置となることで、表示面を斜めから見ると駆動領域と非駆動領域の境界が見えてしまい、表示品位が著しく低下してしまう場合があった。
特に、反射型ディスプレイにおけるフロントライトについては、表示面内を均一に光が当たるように、表示面の上部に導光板を配置させ、当該導光板の側面の光源から光を当該導光板へ入射させる構成が一般的である。ここで、フロントライトの導光板を表示パネル（ＥＰＤパネル）に配置すると、表示枠と表示面の位置がさらに離れ、境界が見えやすくなってしまう。また、フロントライトを点灯すると、駆動領域及び非駆動領域の分散液に光が照射されるため、非点灯時に比べて境界が見えやすくなり、表示品位が著しく低下する。
【０００９】
本発明は、上記従来技術の問題に鑑みて為されたものであり、非駆動領域を視認されにくくして、表示の品質を高める表示装置を提供する。
【課題を解決するための手段】
【００１０】
上記課題の少なくとも一つを解消するために本発明の一態様は、駆動領域と非駆動領域とを有する表示パネルと、開口部を有し前記表示パネルの外周部分を覆う覆い部と、を備え、前記表示パネルの前記駆動領域は、前記駆動領域の図心を通る第１直線に対して対称であり、前記覆い部の前記開口部は、前記開口部の図心を通る第２直線に対して対称であり、前記第１直線と前記第２直線とを第１方向で見て平行に配置した面を平面視したとき、前記第１直線に対して垂直な方向において前記第１直線に対する一方と他方とで前記覆い部に覆われる前記駆動領域の長さが異なる表示装置である。
この構成により、表示装置は、非表示領域を視認されにくくする。これにより、表示装置は、表示の品質を高めることができる。
【００１１】
また、本発明の他の態様は、表示装置において、前記表示パネルは、複数の画素電極が設けられた第１基板と、前記画素電極に対向させられた対向電極が設けられた第２基板と、前記第１基板と前記第２基板との間に配置され、粒子および分散媒を含む分散液を有し、前記画素電極と前記対向電極との間の電位差に応じて表示画像を形成する画像形成部と、を備える、構成が用いられてもよい。
この構成により、表示装置は、表示領域を視認されにくくする。これにより、表示装置は、表示の品質を高めることができる。
【００１２】
また、本発明の他の態様は、表示装置において、前記第２基板の側であって前記第１基板とは反対の側に配置されて光源からの光を導光する導光体を備える、構成が用いられてもよい。
この構成により、表示装置は、表示領域を視認されにくくする。これにより、表示装置は、表示の品質を高めることができる。
【００１３】
また、本発明の他の態様は、表示装置において、前記駆動領域の形状と前記開口部の形状とは、相似形である、構成が用いられていてもよい。
この構成により、表示装置は、表示領域を視認されにくくする。これにより、表示装置は、表示の品質を高めることができる。
【図面の簡単な説明】
【００１４】
【図１】本発明の一実施形態に係る表示装置の概略的な構成例を示す構成図である。
【図２】本発明の一実施形態に係る表示パネルの概略的な構成例を示す側面断面図である。
【図３】本発明の一実施形態に係る表示パネルの断面構造と電気的構成の第１の構成例を示す構成図である。
【図４】本発明の一実施形態に係る表示パネルの断面構造と電気的構成の第２の構成例を示す構成図である。
【図５】本発明の一実施形態に係る表示パネルの構成と屈折率の一例を示す図である。
【図６】本発明の一実施形態に係る視認可能距離と視認角度との関係の一例を示すグラフである。
【図７】本発明の一実施形態に係る表示装置の概略的な構成を示す構成図である。
【図８】本発明の一実施形態に係る表示装置の概略的な構成を示す構成図である。
【図９】本発明の一実施形態に係る表示装置の概略的な構成を示す構成図である。
【図１０】本発明の一実施形態に係る表示装置の概略的な構成を示す構成図である。
【図１１】本発明の一実施形態（第２実施形態）に係る電子機器の一例である電子ブックを示す斜視図である。
【図１２】本発明の一実施形態（第２実施形態）に係る電子機器の一例である腕時計を示す斜視図である。
【図１３】本発明の一実施形態（第２実施形態）に係る電子機器の一例である電子ペーパーを示す斜視図である。
【発明を実施するための形態】
【００１５】
本発明の実施形態について図面を参照して詳細に説明する。
【００１６】
（第１実施形態）
［表示装置の概要］
本発明の実施形態に係る表示装置について説明する。本実施形態に係る表示装置は時計である。本実施形態では、ユーザーは時計を腕に装着した状態で、当該時計を文字盤に向かって垂直に見る場合、あるいは、「６時」の方向から「１２時」の方向を見る場合が、通常の使用状態であると想定する。
図１は、本発明の一実施形態に係る表示装置１００の概略的な構成例を示す構成図である。図１は、表示装置１００の平面図である。表示装置１００は、覆い部ＣＶと表示パネルＰ１ｂを備える。なお、参考として、図１には、比較例（例えば、従来の技術）に係る表示パネルＰ１ａの位置を示してあり、これは本実施形態に係る表示装置１００の構成要素ではない。
覆い部ＣＶは、表示パネルＰ１ｂの外周を覆う筐体であり、開口部を備える。図１に示す通り、覆い部ＣＶは表示パネルＰ１ｂを覆う位置に配置されており、覆い部ＣＶの開口部の部分を除く部分によって表示パネルＰ１ｂの外周が覆われている。
【００１７】
ここで、図１には、ＸＹＺ直交座標系を示してある。本実施形態では、Ｚ軸は高さ方向を示す。また、Ｚ軸の正の方向から負の方向に向かって表示装置１００を見た場合、Ｘ軸は左右方向（本実施形態では、時計の９時から３時に向かう方向）を示し、Ｙ軸は奥行方向（本実施形態では、時計の６時から１２時に向かい方向）を示す。
図１には、覆い部ＣＶの開口部の形状の図心（覆部形状図心という）ＣＦＣを示してある。本実施形態では、覆部形状図心ＣＦＣの位置からＹ軸の正の方向に長さｄが示す距離だけ離れた位置に表示パネルＰ１ｂの図心（表示形状図心という）ＣＦＰｂが配置されている。
【００１８】
また、本実施形態では、表示パネルＰ１ｂの形状は、表示形状図心ＣＦＰｂを通る第１直線Ｌ１に対して対称である。また、本実施形態では、覆い部ＣＶが備える開口部の形状は、覆部形状図心ＣＦＣを通る第２直線Ｌ２に対して対称である。ここで、第１直線Ｌ１と第２直線Ｌ２は、いずれも、Ｘ軸に対して平行な直線である。また、図１の例では、表示装置１００が備える表示パネルＰ１ｂと覆い部ＣＶとがそれぞれ四角形であり、相似形である場合について説明する。
【００１９】
本実施形態に係る表示装置では、表示パネルＰ１ｂに、時刻が表示される。具体的には、表示装置１００には、覆い部ＣＶの中心を示す覆部形状図心ＣＦＣからＹ軸の正の方向の位置に「１２時」を示す文字が表示され、Ｙ軸の負の方向の位置に「６時」を示す文字が表示される。また、表示装置１００には、覆部形状図心ＣＦＣからＸ軸の正の方向の位置に「３時」を示す文字が表示され、Ｘ軸の負の方向の位置に「９時」を示す文字が表示される。以降の説明において、Ｙ軸の正の方向を「１２時」の方向とも記載し、Ｙ軸の負の方向を「６時」の方向とも記載し、Ｘ軸の負の方向を「９時」の方向とも記載し、Ｘ軸の正の方向を「３時」の方向とも記載する。
なお、このような時刻（本例では、１２時、６時、３時、９時）の表示は、一例であり、時計に関し、他の任意の表示の仕方が用いられてもよい。
【００２０】
次に、図２を参照して表示パネルＰ１ｂの詳細について説明する。
図２は、本発明の一実施形態に係る表示パネルＰ１ｂの概略的な構成例を示す側面断面図である。図２は、図１に示す表示装置１００のＡ−Ａ’断面図である。
【００２１】
［表示装置の構成例］
図２に示す通り、本実施形態に係る表示装置１００は、表示パネルＰ１ｂとして、第１基板ＢＰ１と、第２基板ＢＰ２と、透明接着層ＯＣＡと、導光板ＬＰと、光源ＬＤと、覆い部ＣＶを備える。第１基板ＢＰ１と第２基板ＢＰ２は、大きさが同程度の基板である。また、第１基板ＢＰ１と第２基板ＢＰ２は、平板状である。光源ＬＤは、表示パネルＰ１ｂの表示を見易くするために、フロントライトとして配置されている。具体的には、光源ＬＤは、導光板ＬＰの一端側の縁部に設けられ、導光板ＬＰに光を入射する光源として用いられる。光源ＬＤは、例えば、ＬＥＤ（Ｌｉｇｈｔ  Ｅｍｉｔｔｉｎｇ  Ｄｉｏｄｅ）である。
導光板ＬＰは、大きな屈折率を有する平板状の透明部材であり、第１基板ＢＰ１と第２基板ＢＰ２と同程度の大きさを有し、第１基板ＢＰ１と第２基板ＢＰ２に対して平行に配置されている。導光板ＬＰと光源ＬＤは、これらを固定する透明接着剤からなる透明接着層ＯＣＡによって第２基板ＢＰ２に接着される。
本実施形態では、第１基板ＢＰ１、電気泳動層、第２基板ＢＰ２、透明接着層ＯＣＡ、導光板ＬＰおよび光源ＬＤ、覆い部ＣＶの順で積層される。
【００２２】
ここで、導光板ＬＰは、光源ＬＤから発せられる光を導光する導光部（導光体）の一例である。導光板ＬＰとしては、例えば、板以外の形状の部材が用いられてもよい。
また、接着層（本実施形態では、透明接着層ＯＣＡ）は、第２基板ＢＰ２と導光板ＬＰとを接着して固定するための接着剤を含む接着部の一例である。透明接着層ＯＣＡとしては、例えば、層以外の形状の部材が用いられてもよい。なお、第２基板ＢＰ２と導光板ＬＰとを固定する方法としては、接着剤を用いる方法以外の方法が用いられてもよく、例えば、フレームなどの部材を用いて導光板ＬＰを支える方法などが用いられてもよい。
また、光源ＬＤは、光を発する光源（発光部）の一例である。光源ＬＤとしては、ＬＥＤ以外のものが用いられてもよい。
【００２３】
［表示パネルの第１の構成例（隔壁を用いた構成例）］
次に、図３を参照して第１基板ＢＰ１と電気泳動層と第２基板ＢＰ２の詳細について説明する。
図３は、本発明の一実施形態に係る表示パネルＰ１ｂの断面構造と電気的構成の第１の構成例を示す構成図である。
図３は、図２に示す領域ＡＲを詳細に示した構成図である。図２および図３に示す通り、領域ＡＲは、第１基板ＢＰ１ａ（第１基板ＢＰ１の一例）と第２基板ＢＰ２ａ（第２基板ＢＰ２の一例）との間に備える駆動領域１０と、非駆動領域２０との一部が含まれる領域である。
表示パネルＰ１ｂは、第１基板ＢＰ１ａと第２基板ＢＰ２ａとの間に隔壁を複数備える。図３の例では、第１基板ＢＰ１ａが、隔壁３０ａと隔壁３０ｂを有する。これにより、表示パネルＰ１ｂは、第１基板ＢＰ１ａと第２基板ＢＰ２ａとの間に隔壁３０ａおよび隔壁３０ｂによって区画された複数の領域１５ａおよび領域１５ｂを有する。以降の説明において、領域１５ａと領域１５ｂとを特に区別しない場合には、総称して領域１５とも記載する。また、以降の説明において、隔壁３０ａと隔壁３０ｂとを特に区別しない場合には、総称して隔壁３０とも記載する。
【００２４】
表示パネルＰ１ｂは、第１基板ＢＰ１ａと第２基板ＢＰ２ａとの間に分散液５０を備える。分散液５０は、例えば、分散媒と、複数の白色粒子と、複数の黒色粒子を含み、黒色粒子と白色粒子を領域１５に分散させる液体である。分散液５０は、表示パネルＰ１ｂの側面では、封止部４０によって封止される。本実施形態に係る表示パネルＰ１ｂは、領域１５に含まれる黒色粒子および白色粒子の移動により形成された表示画像を第２基板ＢＰ２ａの側に表示する。
【００２５】
第１基板ＢＰ１ａは、領域１５ａに画素電極６０ａを備える。第２基板ＢＰ２ａは、複数の領域１５に亘って共通電極７０ａを備える。本構成例では、制御部（図示せず）が、それぞれの領域１５毎に、画素電極６０ａに印加される電圧を制御することにより、白の表示または黒の表示とすることが行われる。なお、共通電極７０ａに印加される電圧は、一定の電圧であってもよく、または制御部により可変に制御されてもよい。
【００２６】
ここで、表示パネルＰ１ｂの領域１５ｂには、画素電極６０が配置されない。すなわち、領域１５ａは、画素電極６０ａに印加される電圧に応じて表示の色が変更されるのに対して、領域１５ｂは、共通電極７０ａの一部が存在するが、画素電極６０は配置されないため、表示の色が明示的には変更されない。例えば、図３の例では、領域１５ｂには、共通電極７０ａの一部が備えられている。つまり、共通電極７０ａに印加される電圧の影響を受けることにより、領域１５ｂは、例えば、白および黒の中間色である灰色等の色を表示することがある。
【００２７】
本実施形態では、共通電極７０ａおよび画素電極６０ａに印加される電圧に応じて表示の色が変化する領域１５ａは、駆動領域１０であるとする。また、本実施形態では、前記した領域１５ｂは、非駆動領域２０であるとする。
ここで、本実施形態では、非駆動領域２０は、例えば、表示パネルＰ１ｂの外周の領域１５ｂである。
【００２８】
［表示パネルの第２の構成例（マイクロカプセルを用いた構成例）］
図４は、本発明の一実施形態に係る表示パネルＰ１ｂの断面構造と電気的構成の第２の構成例を示す構成図である。本構成例では、表示パネルＰ１ｂが電気泳動表示装置である場合について説明する。図４は、図２に示す領域ＡＲを詳細に示した構成図である。
【００２９】
表示パネルＰ１ｂは、第１基板ＢＰ１ｂ（第１基板ＢＰ１の一例）と第２基板ＢＰ２ｂ（第２基板ＢＰ２の一例）との間に画像形成部１６（電気泳動層）を挟持した構成である。第１基板ＢＰ１ｂの画像形成部１６の側に複数の画素電極６０が形成される。図４の例では、第１基板ＢＰ１ｂの画像形成部１６の側に画素電極６０ｂと画素電極６０ｃと画素電極６０ｄが形成されている。また、第２基板ＢＰ２ｂの画像形成部１６の側に共通電極７０ｂが形成されている。
以降の説明において、画素電極６０ｂと画素電極６０ｃと画素電極６０ｄ（および図３に示される画素電極６０ａ）を特に区別しない場合には、総称して画素電極６０とも記載する。
本構成例では、制御部（図示せず）が、それぞれの画素電極６０毎に印加される電圧を制御することにより、白の表示または黒の表示とすることが行われる。なお、共通電極７０ｂに印加される電圧は、一定の電圧であってもよく、または制御部により可変に制御されてもよい。
【００３０】
画像形成部１６は、例えば、分散液５０を内部に封入した複数のマイクロカプセル８０を平面的に配列した電気泳動素子である。分散液５０は、黒色粒子と白色粒子をマイクロカプセル８０の内部に分散させる液体である。図４の例では、４個のマイクロカプセル８０ａ、８０ｂ、８０ｃ、８０ｄを示してある。
本実施形態の説明において、マイクロカプセル８０ａとマイクロカプセル８０ｂとマイクロカプセル８０ｃとマイクロカプセル８０ｄを特に区別しない場合には、総称してマイクロカプセル８０とも記載する。
【００３１】
本構成例に係る表示パネルＰ１ｂは、画像形成部１６により形成された表示を第２基板ＢＰ２ｂの側に表示する。なお、画像形成部１６は、電気泳動素子に変えて、飛翔粉粒体を内部に封入した複数のマイクロカプセルを平面的に配列した素子等のように、電圧を印加することにより画像形成部１６の色を変更することが可能な他の素子であってもよい。
【００３２】
また、画像形成部１６は、あらかじめ第２基板ＢＰ２ｂの側に形成され、透明接着層６３までを含めた電気泳動シートとして取り扱われるのが一般的である。製造工程において、電気泳動シートは透明接着層６３の表面に保護用の剥離シートが貼り付けられた状態で取り扱われる。そして、別途製造された第１基板ＢＰ１ｂ（画素電極６０ｂなどが形成されている）に対して、剥離シートを剥がした電気泳動シートを貼り付けることによって、表示パネルＰ１ｂを形成する。このため、透明接着層６３は画素電極６０の側のみに存在する。
【００３３】
図４の例では、表示パネルＰ１ｂのマイクロカプセル８０ａとマイクロカプセル８０ｂとマイクロカプセル８０ｃの近傍には、それぞれ、画素電極６０ｂと画素電極６０ｃと画素電極６０ｄが配置される。これに対して、マイクロカプセル８０ｄの近傍には、画素電極６０が配置されない。すなわち、マイクロカプセル８０ａとマイクロカプセル８０ｂとマイクロカプセル８０ｃは、それぞれ、画素電極６０ｂと画素電極６０ｃと画素電極６０ｄに印加される電圧に応じて表示の色が変更される。これに対して、マイクロカプセル８０ｄは、印加される電圧に応じて表示の色が明示的には変更されない。例えば、図４に示す場合には、マイクロカプセル８０ｄは、マイクロカプセル８０ｃに比べて、画素電極６０ｄと共通電極７０ｂからの距離が遠い。すなわち、マイクロカプセル８０ｄは、マイクロカプセル８０ｃと比較して、画素電極６０ｄと共通電極７０ｂとの間に印加される電圧の影響を受ける程度が少量である。このため、マイクロカプセル８０ｄは、画素電極６０ｄと共通電極７０ｂからの少量の影響を受けることで、例えば、白および黒の中間色である灰色等の色を表示する。
【００３４】
本実施形態では、画像形成部１６のうち、共通電極７０ｂおよび画素電極６０に印加される電圧に応じて表示の色が変化するマイクロカプセル８０ａとマイクロカプセル８０ｂとマイクロカプセル８０ｃが存在する領域は、駆動領域１０であるとする。また、本実施形態では、画像形成部１６のうち、共通電極７０ｂおよび画素電極６０に印加される電圧に応じて明示的には色が変化しないマイクロカプセル８０ｄが存在する領域は、非駆動領域２０であるとする。
【００３５】
［表示装置の構成例の説明の続き］
なお、以下では、図３に示される共通電極７０ａと、図４に示される共通電極７０ｂをまとめて、共通電極７０と記載することがある。
第１基板ＢＰ１は、ガラスやプラスチック等からなる基板であり、画像表示面とは反対側に配置されるため透明なものでなくてもよい。画素電極６０は、共通電極７０とともに領域１５または画像形成部１６に電圧を印加する電極であり、Ｃｕ（銅）箔上にニッケルメッキと金メッキとをこの順番で積層したものや、Ａｌ（アルミニウム）、ＩＴＯ（インジウム・スズ酸化物）などにより形成された電極である。
【００３６】
一方、第２基板ＢＰ２は、ガラスやプラスチック等からなる基板であり、画像表示側に配置されるため透明基板とされる。共通電極７０は、画素電極６０とともに領域１５または画像形成部１６に電圧を印加する電極であり、ＭｇＡｇ（マグネシウム銀）、ＩＴＯ、ＩＺＯ（インジウム・亜鉛酸化物）などから形成された透明電極である。
【００３７】
分散液５０としては、水、アルコール系溶媒（メタノール、エタノール、イソプロパノール、ブタノール、オクタノール、メチルセルソルブなど）、エステル類（酢酸エチル、酢酸ブチルなど）、ケトン類（アセトン、メチルエチルケトン、メチルイソブチルケトンなど）、脂肪族炭化水素（ぺンタン、ヘキサン、オクタンなど）、脂環式炭化水素（シクロへキサン、メチルシクロへキサンなど）、芳香族炭化水素（ベンゼン、トルエン、長鎖アルキル基を有するベンゼン類（キシレン、ヘキシルベンゼン、ヘブチルベンゼン、オクチルベンゼン、ノニルベンゼン、デシルベンゼン、ウンデシルベンゼン、ドデシルベンゼン、トリデシルベンゼン、テトラデシルベンゼンなど））、ハロゲン化炭化水素（塩化メチレン、クロロホルム、四塩化炭素、１，２−ジクロロエタンなど）、カルボン酸塩などを例示することができ、その他の油類であってもよい。これらの物質は単独又は混合物として用いることができ、さらに界面活性剤などを配合してもよい。
【００３８】
黒色粒子は、例えば、アニリンブラック、カーボンブラック等の黒色顔料からなる粒子（高分子あるいはコロイド）であり、例えば正に帯電されて用いられる。
白色粒子は、例えば、二酸化チタン、亜鉛華、三酸化アンチモン等の白色顔料からなる粒子（高分子あるいはコロイド）であり、例えば負に帯電されて用いられる。
【００３９】
これらの顔料には、必要に応じ、電解質、界面活性剤、金属石鹸、樹脂、ゴム、油、ワニス、コンパウンドなどの粒子からなる荷電制御剤、チタン系カップリング剤、アルミニウム系カップリング剤、シラン系カップリング剤等の分散剤、潤滑剤、安定化剤などを添加することができる。
また、黒色粒子および白色粒子に代えて、例えば赤色、緑色、青色などの顔料を用いてもよい。かかる構成によれば、表示パネルＰ１ｂに赤色、緑色、青色などを表示することができる。
【００４０】
［ユーザーによる表示装置の視認性の説明］
図２に戻り、表示パネルＰ１ｂが有する非駆動領域２０のユーザーの視認について説明する。図２に示す通り、表示装置１００が時計である場合、ユーザーは、表示装置１００を「６時」方向から「１２時」方向に向かって視認する場合がある。以降の説明において、ユーザーが表示装置１００を視認する方向と、表示パネルＰ１ｂの面と垂直な軸（Ｚ軸）とのなす角度を視認角度θｉと記載する。ここで、図２に示す通り、表示パネルＰ１ｂの表面は、Ｘ−Ｙ平面と水平な面である。
【００４１】
［表示パネルの構成における屈折率］
図５を参照して、表示パネルＰ１ｂの構成と、視認角度θｉとの関係性について説明する。
図５は、本発明の一実施形態に係る表示パネルＰ１ｂの構成と屈折率の一例を示す図である。図５は、図２に示す領域ＡＲと、領域ＡＲの位置に対応する覆い部ＣＶとを詳細に示した構成図である。具体的には、図５は、表示パネルＰ１ｂの「１２時」の方向の端部を示した構成図である。
図５の例では、覆い部ＣＶと導光板ＬＰとが、０．１ｍｍの空間（空気の層）を開けて配置される。また、本例では、導光板ＬＰには、屈折率が１．５７であって、かつ０．１ｍｍの厚みをもつＰＣ材質が用いられる。また、本例では、第２基板ＢＰ２に屈折率１．４７であるアクリル系の材料である透明接着層ＯＣＡが厚さ０．１ｍｍだけ塗付されることにより、光源ＬＤと第２基板ＢＰ２とが接着される。また、本例では、第２基板ＢＰ２には、屈折率が１．５２であって、かつ０．５ｍｍの厚みを持つガラス基板が用いられる。
ここで、材質と屈折率との関係は、式（１）によって示される。
【００４２】
【数１】
2017116822.tif 000003
【００４３】
式（１）に示されるｎＡは、入射前の材質の屈折率である。また、ｎＢは、入射後の材質の屈折率である。また、θＡは、入射前の材質からの入射角である。また、θＢは、入射後の材質への出射角である。
視認可能距離ＲＤは、図５に示す通り、角度θ１の角度によって視認した場合、覆い部ＣＶの開口部の一端である位置から覆い部ＣＶによって覆われる表示パネルＰ１ｂを視認することができる位置までの距離である。
【００４４】
以下、本例の視認可能距離ＲＤについて詳細に説明する。
角度θ１と空気の層の厚みとから、覆い部ＣＶの一端から角度θ１で入射する光が導光板ＬＰに到達するまでの距離ＲＤ１が算出される。角度θ１と空気の屈折率と導光板ＬＰの屈折率と式（１）とに基づいて、導光板ＬＰへ出射する光の出射角を示す角度θ２が算出される。
角度θ２と導光板ＬＰの厚みとから、角度θ２で導光板ＬＰに入射する光が透明接着層ＯＣＡに到達するまでの距離ＲＤ２が算出される。角度θ２と導光板ＬＰの屈折率と透明接着層ＯＣＡの屈折率と式（１）とに基づいて、透明接着層ＯＣＡへ出射する光の出射角を示す角度θ３が算出される。
角度θ３と透明接着層ＯＣＡの厚みとから、角度θ３で透明接着層ＯＣＡに入射する光が第２基板ＢＰ２に到達するまでの距離ＲＤ３が算出される。角度θ３と透明接着層ＯＣＡの屈折率と第２基板ＢＰ２の屈折率と式（１）とに基づいて、第２基板ＢＰ２へ出射する光の出射角を示す角度θ４が算出される。
角度θ４と第２基板ＢＰ２の厚みとから、角度θ４で第２基板ＢＰ２に入射する光が第１基板ＢＰ１に到達するまでの距離ＲＤ４が算出される。
つまり、視認可能距離ＲＤは、距離ＲＤ１、距離ＲＤ２、距離ＲＤ３および距離ＲＤ４の和である。
本例では、図５に示す角度θ１が視認角度θｉである場合について説明する。
【００４５】
［非駆動領域の視認角度］
図６を参照して、本例が備える表示パネルＰ１ｂと視認角度θｉとの関係性について説明する。
図６は、本発明の一実施形態に係る視認可能距離ＲＤと視認角度θｉとの関係の一例を示すグラフである。
図６には、本例の表示パネルＰ１ｂが備える各部の屈折率と式（１）に基づいて、視認可能距離ＲＤと視認角度θｉとの関係を示す曲線ＷＰＤが示されている。本例では、視認角度θｉが０度である場合、Ｚ軸の正の方向から負の方向に向かって表示装置１００を視認することを示す。また、本例では、視認角度θｉが９０度である場合、Ｙ軸の負の方向から正の方向に向かって表示装置１００を視認することを示す。
また、本例では、図６において着目している表示パネルＰ１ｂの辺の長さ（円の場合には、半径）が、覆い部ＣＶが備える開口部の対応する辺の長さ（円の場合には、半径）に対して２．０ｍｍ長い。ここで、本例では、表示パネルＰ１ｂの外周部の端から１．４ｍｍの範囲が非駆動領域２０である。すなわち、表示パネルＰ１ｂの内周の端から０．６ｍｍの範囲によって示される内周部が駆動領域１０である。
【００４６】
まず、図１を参照して、比較例に係る表示パネルＰ１ａの配置について説明する。本例では、表示パネルＰ１ａを、表示パネルＰ１ｂと形状、層構造、電気的構成、駆動領域の範囲及び非駆動領域の範囲を同一としてある。表示パネルＰ１ａの図心は、覆部形状図心ＣＦＣと同じ位置に配置されている、ことを想定している。
図６に戻って説明する。視認可能距離ＲＤが０．６ｍｍである位置に閾値線ＷＬ１が示されている。これは、表示パネルＰ１ａが備える駆動領域１０が覆い部ＣＶの開口部の端から０．６ｍｍの範囲であることを示す。すなわち、閾値線ＷＬ１は、表示パネルＰ１ａの場合、駆動領域１０の視認が可能である距離の閾値を示す情報である。つまり、図６に示す通り、表示パネルＰ１ａの場合には、駆動領域１０である内周部の周囲が覆い部ＣＶによって覆われている。図６に示される通り、視認角度θｉが約４５度未満である場合には、覆い部ＣＶによって覆われている表示パネルＰ１ａの外周部分の非駆動領域２０を視認することができない。すなわち、表示パネルＰ１ａは、視認角度θｉが約４５度である場合に曲線ＷＰＤが閾値線ＷＬ１を越える。つまり、表示パネルＰ１ａは、視認角度θｉが約４５度以上である場合に、非駆動領域２０が視認される。
【００４７】
次に、本実施形態に係る表示パネルＰ１ｂの配置について説明する。
図６には、視認可能距離ＲＤが１．１ｍｍである位置に閾値線ＷＬ２が示されている。これは、表示パネルＰ１ｂが備える駆動領域１０が外周部の０．６ｍｍの範囲であって、この状態からさらに、表示パネルＰ１ｂの駆動領域１０が長さｄ（本例では０．５ｍｍ）が示す距離だけ「１２時」の方向にずれた位置にあることを示す。すなわち、閾値線ＷＬ２は、表示パネルＰ１ｂの場合、駆動領域１０の視認が可能である距離の閾値を示す情報である。つまり、図６に示す通り、表示パネルＰ１ｂの場合には、駆動領域１０である内周部の周囲が覆い部ＣＶによって覆われ、この状態からさらに、駆動領域１０である内周部が長さｄが示す距離だけずれた（離れた）位置に配置されている。これにより、図６に示される通り、視認角度θｉが約７０度未満である場合には、覆い部ＣＶによって覆われている表示パネルＰ１ｂの外周部分の非駆動領域２０を視認することができない。すなわち、表示パネルＰ１ｂは、視認角度θｉが約７０度である場合に曲線ＷＰＤが閾値線ＷＬ２を越える。つまり、表示パネルＰ１ｂは、視認角度θｉが約７０度以上である場合に、非駆動領域２０が視認される。
上述のように、本実施形態に係る表示パネルＰ１ｂでは、「６時」の方向から「１２時」の方向を視認した場合、比較例に係る表示パネルＰ１ａと比べて、非駆動領域２０が視認される視認角度θｉが大きくなる。
【００４８】
［表示パネルのずれ方向］
図１に戻り、表示パネルＰ１ｂの配置について説明する。ここでは、説明の便宜上、比較例に係る表示パネルＰ１ａとの比較で説明する。
上述したように、ユーザーは、表示装置１００が時計である場合、表示装置１００を「６時」方向から「１２時」方向に向かって視認する場合がある。このため、本実施形態では、覆部形状図心ＣＦＣの中心から「１２時」の方向に長さｄが示す距離だけ異なる位置に表示パネルＰ１ｂの表示形状図心ＣＦＰｂが配置されている。図１の例では、表示パネルＰ１ｂの図心である表示形状図心ＣＦＰｂが、覆い部ＣＶの図心である覆部形状図心ＣＦＣからＹ軸の正の方向に長さｄが示す距離だけ離れた位置に配置されている。本例では、長さｄが０．５ｍｍであるとする。
【００４９】
まず、図１に示す通り、表示パネルＰ１ａの場合、「１２時」方向において覆い部ＣＶによって表示パネルＰ１ａの一部が覆われる箇所の長さは、第１被覆長ＣＰＤａ１である。また、表示パネルＰ１ａの場合、「６時」方向において覆い部ＣＶによって表示パネルＰ１ａの一部が覆われる箇所の長さは、第２被覆長ＣＰＤａ２である。
上述した通り、覆い部ＣＶと表示パネルＰ１ａとは、相似形である。また、上述したように、覆い部ＣＶの覆部形状図心ＣＦＣと表示パネルＰ１ａの表示形状図心ＣＦＰａとは、同一の位置に配置される。これらから、第１被覆長ＣＰＤａ１と第２被覆長ＣＰＤａ２とは、同じ長さである。本例では、第１被覆長ＣＰＤａ１と第２被覆長ＣＰＤａ２とは、２．０ｍｍであるとする。
【００５０】
これに対して、図１に示す通り、表示パネルＰ１ｂの場合、「１２時」方向において覆い部ＣＶによって表示パネルＰ１ｂが覆われる箇所の長さは、第１被覆長ＣＰＤｂ１である。また、表示パネルＰ１ｂの場合、「６時」方向において覆い部ＣＶによって表示パネルＰ１ｂの一部が覆われる箇所の長さは第２被覆長ＣＰＤｂ２である。
上述した通り、本実施形態では、表示形状図心ＣＦＰａは、表示形状図心ＣＦＰｂと比べて、Ｙ軸上における「１２時」の方向に長さｄが示す距離だけ異なる。これにより、第１被覆長ＣＰＤａ１と第２被覆長ＣＰＤａ２とが同じ長さである状態（比較例の状態）と比べて、本実施形態では、第１被覆長ＣＰＤｂ１の方が、第２被覆長ＣＰＤｂ２よりも長くなる。
本実施形態では、第１直線Ｌ１と第２直線Ｌ２とを所定の方向（第１方向）で見て平行に配置した面を平面視したとき、表示パネルＰ１ｂの駆動領域１０は、当該駆動領域１０の図心（本実施形態では、表示形状図心ＣＦＰｂ）を通る第１直線Ｌ１に対して対称である。また、本実施形態では、第１直線Ｌ１と第２直線Ｌ２とを第１方向で見て平行に配置した面を平面視したとき、覆い部ＣＶの開口部は、当該開口部の図心（本実施形態では、覆部形状図心ＣＦＣ）を通る第２直線Ｌ２に対して対称である。そして、第１直線Ｌ１と第２直線Ｌ２とを第１方向で見て平行に配置した面を平面視したとき、第１直線Ｌ１に対して垂直な方向において、第１直線Ｌ１に対する一方と他方とで覆い部ＣＶに覆われる駆動領域１０の長さが異なる。ここで、本実施形態では、表示パネルＰ１ｂの駆動領域１０の面（ここでは、ＸＹ平面に平行な面）と覆い部ＣＶの開口部の面（ここでは、ＸＹ平面に平行な面）とが平行（または、略平行）であり、第１方向はこれらの面に対して垂直な方向（ここでは、Ｚ軸の方向）である。本実施形態では、第１方向は、時計の時刻表示面に対して垂直な方向である。
本実施形態では、第１被覆長ＣＰＤｂ１は、第１被覆長ＣＰＤａ１の長さである２．０ｍｍとずれの長さｄ（＝０．５ｍｍ）との和である２．５ｍｍである。また、第２被覆長ＣＰＤｂ２は、第２被覆長ＣＰＤａ２の長さである２．０ｍｍからずれの長さｄである０．５ｍｍを引いた差である１．５ｍｍである。ここで、本実施形態では、表示パネルＰ１ｂの外周部の範囲である１．４ｍｍが非駆動領域２０であるとする。すなわち、第２被覆長ＣＰＤｂ２の長さである１．５ｍｍと非駆動領域２０である外周部の１．４ｍｍの範囲との差が０．１ｍｍである。これにより、表示装置１００をＺ軸の正の方向から負の方向に向かって見た場合であっても、「６時」の方向の非駆動領域２０は、覆い部ＣＶが備える開口部から外側に０．１ｍｍの余剰があるため、視認されない。
【００５１】
このように、本実施形態に係る表示パネルＰ１ｂでは、比較例に係る表示パネルＰ１ａと比べて、覆い部ＣＶによって覆われる部分に関し、Ｙ軸方向における一方と他方とで覆い部ＣＶによって覆われる長さが異なる。つまり、第１被覆長ＣＰＤｂ１と第２被覆長ＣＰＤｂ２とは、異なる長さである。
したがって、本実施形態に係る表示装置１００の表示パネルＰ１ｂでは、「６時」の方向から「１２時」の方向へ表示装置１００を視認した場合、非駆動領域２０が視認されにくくすることができる。これにより、本実施形態に係る表示装置１００では、表示の品質を向上させることができる。また、このような効果は、特に、本実施形態に係る表示パネルＰ１ｂのように、導光板ＬＰを備える場合に、有効である。
また、本実施形態では、例えば、表示パネルＰ１ｂの寸法、あるいは、表示パネルＰ１ｂの駆動領域１０の大きさを拡大しなくても、上記の効果を得ることが可能である。また、本実施形態では、例えば、比較例と比べて、追加の部品が無くてもよい。
【００５２】
ここで、本実施形態では、時計の「６時」と「１２時」とを結ぶ方向について、表示パネルＰ１ｂの図心と覆い部ＣＶの図心とをずらして配置させたが、他の方向にずらす構成が用いられてもよい。
【００５３】
また、本実施形態に係る表示装置１００では、フロントライトである光源ＬＤを備える場合について説明したが、他の構成が用いられてもよい。他の構成例として、表示パネルＰ１ｂでは、フロントライトの代わりに、バックライトを備えてもよく、または、フロントライトあるいはバックライトを備えずに、外部の光が用いられてもよい。
また、本実施形態に係る表示装置１００では、光源ＬＤ及び導光板ＬＰを備える場合について説明したが、これに限られない。表示装置１００は、光源ＬＤ及び導光板ＬＰを備えていなくてもよく、この場合には、透明接着層ＯＣＡが第２基板ＢＰ２に塗布されなくてもよい。このように、光源ＬＤ及び導光板ＬＰを備えない構成においても、本実施形態では、上記と同様な効果が得られる。
【００５４】
また、本実施形態では、覆い部ＣＶを一体のものとして構成したが、他の構成例として、覆い部ＣＶが複数の部分（部品）から構成されて、互いに組み合わされてもよい。
また、本実施形態では、覆い部ＣＶの開口部の図心と表示パネルＰ１ｂの駆動領域の図心とがずれることから、覆い部ＣＶの開口部から見える表示パネルＰ１ｂの駆動領域の部分に適切に表示内容が表示されるように、制御部（図示せず）が表示内容を制御する。
また、表示装置１００は、覆い部ＣＶの開口部の図心と表示パネルＰ１ｂの駆動領域の図心とのずれをユーザーの操作により調整するための調整部を備えてもよい。
【００５５】
［表示装置の形状の他の例］
ここで、表示装置１００の形状の他の例を示す。
図１の例では、表示装置１００が四角形である場合について説明したが、これに限られない。以下、四角形以外の他の形状である表示装置について説明する。
【００５６】
［表示装置の形状：丸型］
図７は、本発明の一実施形態に係る表示装置１１０の概略的な構成を示す構成図である。図７は、表示装置１１０の平面図である。表示装置１１０は、覆い部ＣＶ１１と表示パネルＰ１１ｂとを備える。図７に示す通り、覆い部ＣＶ１１が表示パネルＰ１１ｂを覆う位置に配置されており、覆い部ＣＶ１１の開口部の部分を除く部分によって表示パネルＰ１１ｂの外周が覆われている。
図７には、覆い部ＣＶ１１の開口部の形状の図心である覆部形状図心ＣＦＤ１を示してある。本例では、覆部形状図心ＣＦＤ１の位置からＹ軸の方向に長さｄ１が示す距離だけずれた（離れた）位置に表示パネルＰ１１ｂの図心である表示形状図心ＣＦＰｂ１が配置されている。
【００５７】
また、本例では、図７に示す通り、表示パネルＰ１１ｂの形状が表示形状図心ＣＦＰｂ１を通る第１直線Ｌ１１に対して対称である。また、本例では、覆い部ＣＶ１１が備える開口部の形状が覆部形状図心ＣＦＤ１を通る第２直線Ｌ２１に対して対称である。また、本例では、第１直線Ｌ１１と第２直線Ｌ２１とがいずれもＸ軸に対して平行な直線である。
ここで、本例では、表示装置１１０が備える表示パネルＰ１１ｂと覆い部ＣＶ１１とが丸型である場合について説明する。また、本例では、表示装置１１０が備える表示パネルＰ１１ｂと、覆い部ＣＶ１１とが相似形である。
【００５８】
なお、図７には、比較例として、表示パネルＰ１１ａの位置を示してある。表示パネルＰ１１ａは、表示パネルＰ１１ｂと同一の構成を有する。具体的には、表示パネルＰ１１ａと表示パネルＰ１１ｂとは、形状、層構造、電気的構成、駆動領域の範囲及び非駆動領域の範囲が同一の構成である。また、図７に示す通り、表示パネルＰ１１ａの図心である表示形状図心ＣＦＰａ１と覆部形状図心ＣＦＤ１とは、同じ位置に配置される。
【００５９】
まず、比較例に係る表示パネルＰ１１ａの場合、「１２時」方向において覆い部ＣＶ１１によって表示パネルＰ１１ａの一部が覆われる箇所の長さは、第１被覆長ＣＰＤａ１１である。また、表示パネルＰ１１ａの場合、「６時」方向において覆い部ＣＶ１１によって表示パネルＰ１１ａの一部が覆われる箇所の長さは、第２被覆長ＣＰＤａ２１である。ここで、第１被覆長ＣＰＤａ１１と第２被覆長ＣＰＤａ２１とは、同じ長さである。
【００６０】
これに対して、本例に係る表示パネルＰ１１ｂの場合、「１２時」方向において覆い部ＣＶ１１によって表示パネルＰ１１ｂが覆われる箇所の長さは、第１被覆長ＣＰＤｂ１１である。また、表示パネルＰ１１ｂの場合、「６時」方向において覆い部ＣＶ１１によって表示パネルＰ１１ｂの一部が覆われる箇所の長さは第２被覆長ＣＰＤｂ２１である。ここで、第１被覆長ＣＰＤｂ１１と第２被覆長ＣＰＤｂ２１とでは、第１被覆長ＣＰＤｂ１１の方が長くなる。
本例では、第１直線Ｌ１１と第２直線Ｌ２１とを所定の方向（第１方向）で見て平行に配置した面を平面視したとき、表示パネルＰ１１ｂの駆動領域１０は、当該駆動領域１０の図心（本例では、表示形状図心ＣＦＰｂ１）を通る第１直線Ｌ１１に対して対称である。また、本例では、第１直線Ｌ１１と第２直線Ｌ２１とを第１方向で見て平行に配置した面を平面視したとき、覆い部ＣＶ１１の開口部は、当該開口部の図心（本例では、覆部形状図心ＣＦＤ１）を通る第２直線Ｌ２１に対して対称である。そして、第１直線Ｌ１１と第２直線Ｌ２１とを第１方向で見て平行に配置した面を平面視したとき、第１直線Ｌ１１に対して垂直な方向において、第１直線Ｌ１１に対する一方と他方とで覆い部ＣＶ１１に覆われる駆動領域１０の長さが異なる。ここで、本実施形態では、表示パネルＰ１１ｂの駆動領域１０の面（ここでは、ＸＹ平面に平行な面）と覆い部ＣＶ１１の開口部の面（ここでは、ＸＹ平面に平行な面）とが平行（または、略平行）であり、第１方向はこれらの面に対して垂直な方向（ここでは、Ｚ軸の方向）である。本実施形態では、第１方向は、時計の時刻表示面に対して垂直な方向である。
【００６１】
このように、本例に係る表示装置１１０の表示パネルＰ１１ｂでは、「６時」の方向から「１２時」の方向へ表示装置１１０を視認した場合、非駆動領域２０が視認されにくくすることができる。これにより、本実施形態に係る表示装置１１０では、表示の品質を向上させることができる。
【００６２】
［表示装置の形状：楕円型］
図８は、本発明の一実施形態に係る表示装置１２０の概略的な構成を示す構成図である。図８は、表示装置１２０の平面図である。表示装置１２０は、覆い部ＣＶ１２と表示パネルＰ１２ｂとを備える。図８に示す通り、覆い部ＣＶ１２が表示パネルＰ１２ｂを覆う位置に配置されており、覆い部ＣＶ１２の開口部の部分を除く部分によって表示パネルＰ１２ｂの外周が覆われる。
図８には、覆い部ＣＶ１２の開口部の形状の図心である覆部形状図心ＣＦＤ２を示してある。本例では、覆部形状図心ＣＦＤ２の位置からＹ軸の方向に長さｄ２が示す距離だけずれた（離れた）位置に表示パネルＰ１２ｂの図心である表示形状図心ＣＦＰｂ２が配置される。
【００６３】
また、本例では、図８に示す通り、表示パネルＰ１２ｂの形状が表示形状図心ＣＦＰｂ２を通る第１直線Ｌ１２に対して対称である。また、本例では、図８に示す通り、覆い部ＣＶ１２が備える開口部の形状が覆部形状図心ＣＦＤ２を通る第２直線Ｌ２２に対して対称である。また、本例では、図８に示す通り、第１直線Ｌ１２と第２直線Ｌ２２とがいずれもＸ軸に対して平行な直線である。
ここで、本例では、表示装置１２０が備える表示パネルＰ１２ｂと覆い部ＣＶ１２とが楕円型である場合について説明する。また、本例では、表示装置１２０が備える表示パネルＰ１２ｂと、覆い部ＣＶ１２とが相似形である。
【００６４】
なお、図８には、比較例として、表示パネルＰ１２ａの位置を示してある。表示パネルＰ１２ａは、表示パネルＰ１２ｂと同一の構成を有する。具体的には、表示パネルＰ１２ａと表示パネルＰ１２ｂとは、形状、層構造、電気的構成、駆動領域１０の範囲及び非駆動領域２０の範囲が同一の構成である。また、図８に示す通り、表示パネルＰ１２ａの図心である表示形状図心ＣＦＰａ２と覆部形状図心ＣＦＤ２とは、同じ位置に配置される。
【００６５】
まず、比較例に係る表示パネルＰ１２ａの場合、「１２時」方向において覆い部ＣＶ１２によって表示パネルＰ１２ａの一部が覆われる箇所の長さは、第１被覆長ＣＰＤａ１２である。また、表示パネルＰ１２ａの場合、「６時」方向において覆い部ＣＶ１２によって表示パネルＰ１２ａの一部が覆われる箇所の長さは、第２被覆長ＣＰＤａ２１である。ここで、第１被覆長ＣＰＤａ１２と第２被覆長ＣＰＤａ２２とは、同じ長さである。
【００６６】
これに対して、本例に係る表示パネルＰ１２ｂの場合、「１２時」方向において覆い部ＣＶ１２によって表示パネルＰ１２ｂが覆われる箇所の長さは、第１被覆長ＣＰＤｂ１２である。また、表示パネルＰ１２ｂの場合、「６時」方向において覆い部ＣＶ１２によって表示パネルＰ１２ｂの一部が覆われる箇所の長さは第２被覆長ＣＰＤｂ２２である。ここで、第１被覆長ＣＰＤｂ１２と第２被覆長ＣＰＤｂ２１とでは、第１被覆長ＣＰＤｂ１２の方が長くなる。
本例では、第１直線Ｌ１２と第２直線Ｌ２２とを所定の方向（第１方向）で見て平行に配置した面を平面視したとき、表示パネルＰ１２ｂの駆動領域１０は、当該駆動領域１０の図心（本例では、表示形状図心ＣＦＰｂ２）を通る第１直線Ｌ１２に対して対称である。また、本例では、第１直線Ｌ１２と第２直線Ｌ２２とを第１方向で見て平行に配置した面を平面視したとき、覆い部ＣＶ１２の開口部は、当該開口部の図心（本例では、覆部形状図心ＣＦＤ２）を通る第２直線Ｌ２２に対して対称である。そして、第１直線Ｌ１２と第２直線Ｌ２２とを第１方向で見て平行に配置した面を平面視したとき、第１直線Ｌ１２に対して垂直な方向において、第１直線Ｌ１２に対する一方と他方とで覆い部ＣＶ１２に覆われる駆動領域１０の長さが異なる。ここで、本実施形態では、表示パネルＰ１２ｂの駆動領域１０の面（ここでは、ＸＹ平面に平行な面）と覆い部ＣＶ１２の開口部の面（ここでは、ＸＹ平面に平行な面）とが平行（または、略平行）であり、第１方向はこれらの面に対して垂直な方向（ここでは、Ｚ軸の方向）である。本実施形態では、第１方向は、時計の時刻表示面に対して垂直な方向である。
【００６７】
このように、本例に係る表示装置１２０の表示パネルＰ１２ｂでは、「６時」の方向から「１２時」の方向へ表示装置１２０を視認した場合、非駆動領域２０が視認されにくくすることができる。これにより、本実施形態に係る表示装置１２０では、表示の品質を向上させることができる。
【００６８】
［表示装置の形状：六角形型］
図９は、本発明の一実施形態に係る表示装置１３０の概略的な構成を示す構成図である。図９は、表示装置１３０の平面図である。表示装置１３０は、覆い部ＣＶ１３と表示パネルＰ１３ｂとを備える。図９に示す通り、覆い部ＣＶ１３が表示パネルＰ１３ｂを覆う位置に配置されており、覆い部ＣＶ１３の開口部の部分を除く部分によって表示パネルＰ１３ｂの外周が覆われる。
図９には、覆い部ＣＶ１３の開口部の形状の図心である覆部形状図心ＣＦＤ３を示してある。本例では、覆部形状図心ＣＦＤ３の位置からＹ軸の方向に長さｄ３が示す距離だけずれた（離れた）位置に表示パネルＰ１３ｂの図心である表示形状図心ＣＦＰｂ３が配置される。
【００６９】
また、本例では、図９に示す通り、表示パネルＰ１３ｂの形状が表示形状図心ＣＦＰｂ３を通る第１直線Ｌ１３に対して対称である。また、本例では、図９に示す通り、覆い部ＣＶ１３が備える開口部の形状が覆部形状図心ＣＦＤ３を通る第２直線Ｌ２３に対して対称である。また、本例では、図９に示す通り、第１直線Ｌ１３と第２直線Ｌ２３とがいずれもＸ軸に対して平行な直線である。
ここで、本例では、図９に示す通り表示装置１３０が備える表示パネルＰ１３ｂと覆い部ＣＶ１３とが六角形型である場合について説明する。また、本例では、図９に示す通り、表示装置１３０が備える表示パネルＰ１３ｂと、覆い部ＣＶ１３とが相似形である。
【００７０】
なお、図９には、比較例として、表示パネルＰ１３ａの位置を示してある。表示パネルＰ１３ａは、表示パネルＰ１３ｂと同一の構成を有する。具体的には、表示パネルＰ１３ａと表示パネルＰ１３ｂとは、形状、層構造、電気的構成、駆動領域１０の範囲及び非駆動領域２０の範囲が同一の構成である。また、図９に示す通り、表示パネルＰ１３ａの図心である表示形状図心ＣＦＰａ３と覆部形状図心ＣＦＤ３とは、同じ位置に配置される。
【００７１】
まず、比較例に係る表示パネルＰ１３ａの場合、「１２時」方向において覆い部ＣＶ１３によって表示パネルＰ１３ａの一部が覆われる箇所の長さは、第１被覆長ＣＰＤａ１３である。また、表示パネルＰ１３ａの場合、「６時」方向において覆い部ＣＶ１３によって表示パネルＰ１３ａの一部が覆われる箇所の長さは、第１被覆長ＣＰＤａ１３である。ここで、第１被覆長ＣＰＤａ１３と第２被覆長ＣＰＤａ２３とは、同じ長さである。
【００７２】
これに対して、本例に係る表示パネルＰ１３ｂの場合、「１２時」方向において覆い部ＣＶ１３によって表示パネルＰ１３ｂが覆われる箇所の長さは、第１被覆長ＣＰＤｂ１３である。また、表示パネルＰ１３ｂの場合、「６時」方向において覆い部ＣＶ１３によって表示パネルＰ１３ｂの一部が覆われる箇所の長さは第２被覆長ＣＰＤｂ２３である。ここで、第１被覆長ＣＰＤｂ１３と第２被覆長ＣＰＤｂ２３とでは、第１被覆長ＣＰＤｂ１３の方が長くなる。
本例では、第１直線Ｌ１３と第２直線Ｌ２３とを所定の方向（第１方向）で見て平行に配置した面を平面視したとき、表示パネルＰ１３ｂの駆動領域１０は、当該駆動領域１０の図心（本例では、表示形状図心ＣＦＰｂ３）を通る第１直線Ｌ１３に対して対称である。また、本例では、第１直線Ｌ１３と第２直線Ｌ２３とを第１方向で見て平行に配置した面を平面視したとき、覆い部ＣＶ１３の開口部は、当該開口部の図心（本例では、覆部形状図心ＣＦＤ３）を通る第２直線Ｌ２３に対して対称である。そして、第１直線Ｌ１３と第２直線Ｌ２３とを第１方向で見て平行に配置した面を平面視したとき、第１直線Ｌ１３に対して垂直な方向において、第１直線Ｌ１３に対する一方と他方とで覆い部ＣＶ１３に覆われる駆動領域１０の長さが異なる。ここで、本実施形態では、表示パネルＰ１３ｂの駆動領域１０の面（ここでは、ＸＹ平面に平行な面）と覆い部ＣＶ１３の開口部の面（ここでは、ＸＹ平面に平行な面）とが平行（または、略平行）であり、第１方向はこれらの面に対して垂直な方向（ここでは、Ｚ軸の方向）である。本実施形態では、第１方向は、時計の時刻表示面に対して垂直な方向である。
【００７３】
このように、本例に係る表示装置１３０の表示パネルＰ１３ｂでは、「６時」の方向から「１２時」の方向へ表示装置１３０を視認した場合、非駆動領域２０が視認されにくくすることができる。これにより、本実施形態に係る表示装置１３０では、表示の品質を向上させることができる。
【００７４】
［表示装置の形状：面取り］
図１０は、本発明の一実施形態に係る表示装置１５０の概略的な構成を示す構成図である。図１０は、表示装置１５０の平面図である。表示装置１５０は、覆い部ＣＶ１５と表示パネルＰ１５ｂとを備える。また、比較例として、表示パネルＰ１５ａの位置を示してある。
ここで、図１０の例に係る表示装置１５０の構成は、図１の例に係る表示装置１００の構成と比べて、覆い部ＣＶ１５と表示パネルＰ１５ｂとのそれぞれにおいて、方形の４個の角が面取りされている（切り落とされている）点で相違しており、他の点では同様である。なお、図１０の例では、図１の例と同様な構成部については同じ符号を付してある。
このように、本実施形態では、覆い部ＣＶ１５あるいは表示パネルＰ１５ｂのうちの一方または両方について、面の形状の角などが面取りされていてもよい。
なお、本実施形態では、四角などの方形のすべての角を面取りした構成を示したが、他の構成例として、四角の４個の角のうちの隣り合う２個の角のみを面取りした構成、あるいは、六角形の６個の角のうちの隣り合う３個の角のみを面取りした構成などが用いられてもよい。
また、本実施形態では、例えば設計上の理由などにより、四角の４個の角のうちの１個の角のみを面取りした構成、あるいは、六角形の６個の角のうちの１個の角のみを面取りした構成、あるいは、六角形の６個の角のうちの隣り合う２個の角のみを面取りした構成などが用いられてもよい。このような構成においても、例えば、所定の方向での視認において非駆動領域２０が視認されにくくするという効果が得られれば、第１直線Ｌ１に対して垂直な方向において第１直線Ｌ１に対する一方と他方とで覆い部ＣＶ１５に覆われる駆動領域１０の長さが異なる（通常視認されるところでの長さが異なる）という点で、実質的に、表示パネルＰ１ｂの駆動領域１０が第１直線Ｌ１に対して対称であるといえる場合、あるいは、覆い部ＣＶの開口部が第２直線Ｌ２に対して対称であるといえる場合がある。すなわち、これらの対称としては、実質的に対称であるが設計上の理由などにより多少形状がくずれた略対称が含まれてもよい。
【００７５】
なお、以上では、表示パネルと覆い部とが相似形である場合について説明したが、これに限られない。例えば、表示パネルと覆い部とが相似形ではない形状であってもよい。一例として、表示パネルが丸型であって、覆い部が四角形であってもよく、また、他の構成であってもよい。
【００７６】
（第２実施形態）
図１１〜図１３は、本発明の実施形態（第２実施形態）に係る電子機器の概略的な構成例を示す図である。本実施形態では、以上の実施形態に係る電気泳動表示装置を適用した電子機器の具体例を示す。
【００７７】
図１１は、本発明の一実施形態（第２実施形態）に係る電子機器の一例である電子ブック５０１を示す斜視図である。
電子ブック５０１は、ブック形状のフレーム５１１と、以上の実施形態に係る電気泳動表示装置が適用された表示部５１２と、操作部５１３を備える。
図１２は、本発明の一実施形態（第２実施形態）に係る電子機器の一例である腕時計５５１を示す斜視図である。
腕時計５５１は、以上の実施形態に係る電気泳動表示装置が適用された表示部５６１を備える。
図１３は、本発明の一実施形態（第２実施形態）に係る電子機器の一例である電子ペーパー５７１を示す斜視図である。
電子ペーパー５７１は、紙と同様の質感および柔軟性を有するリライタブルシートで構成される本体部５８１と、以上の実施形態に係る電気泳動表示装置が適用された表示部５８２を備える。
なお、以上の実施形態に係る電気泳動表示装置は、他の様々な電子機器に適用されてもよく、例えば、携帯電話、携帯用オーディオ機器等の電子機器の表示部、マニュアル等の業務用シート、教科書、問題集、情報シートなどに適用されてもよい。
また、各電子機器は、例えば、制御部を備え、当該制御部により表示部を制御する。
【００７８】
以上のように、本実施形態に係る電子機器では、以上の実施形態に係る電気泳動表示装置と同様な効果を得ることができる。
【００７９】
（以上実施形態のまとめ）
一構成例として、表示装置（図１の例では、表示装置１００）は、駆動領域１０と非駆動領域２０とを有する表示パネルＰ１ｂと、開口部を有し表示パネルＰ１ｂの外周部分を覆う覆い部ＣＶと、を備え、表示パネルＰ１ｂの駆動領域１０は、図心（図１の例では、表示形状図心ＣＦＰａ）を通る第１直線Ｌ１に対して対称であり、覆い部ＣＶの開口部は、図心（図１の例では、覆部形状図心ＣＦＣ）を通る第２直線Ｌ２に対して対称であり、第１直線と第２直線とは平行に配置され、第１直線Ｌ１に対して垂直な方向（図１の例ではＹ軸方向）において第１直線Ｌ１に対する一方（図１の例では「１２時」方向）と他方（図１の例では、「６時」方向）とで覆い部ＣＶによって覆われる駆動領域１０の長さ（図１の例では、第１被覆長ＣＰＤｂ１および第２被覆長ＣＰＤｂ２）が異なる。
一構成例として、表示装置において、表示パネルＰ１ｂは、複数の画素電極６０が設けられた第１基板ＢＰ１と、画素電極６０に対向させられた対向電極（図２の例では、共通電極７０）が設けられた第２基板ＢＰ２と、第１基板ＢＰ１と第２基板ＢＰ２との間に配置され、粒子および分散媒を含む分散液５０を有し、画素電極６０と対向電極との間の電位差に応じて表示画像を形成する画像形成部（図３の例では、領域１５）を備える。
一構成例として、表示装置において、第２基板ＢＰ２の側であって第１基板ＢＰ１とは反対の側に配置されて光源ＬＤからの光を導光する導光板ＬＰを備える。
一構成例として、表示装置において、駆動領域１０の形状と開口部の形状とは、相似形である。
【００８０】
以上、この発明の実施形態について図面を参照して詳述してきたが、具体的な構成はこの実施形態に限られるものではなく、この発明の要旨を逸脱しない範囲の設計等も含まれる。
例えば、本発明は、液晶ディスプレイ（ＬＣＤ：Ｌｉｑｕｉｄ  Ｃｒｙｓｔａｌ  Ｄｉｓｐｌａｙ）などの表示装置にも適用可能である。例えば、フロントライトを用いる反射型ＬＣＤについても適用が可能である。なお、反射型ＬＣＤ構造の場合には、偏光板パネルの上下に偏光板を有しているため、視野角依存性を持ち、斜視方向には光が透過しにくいため、問題となりにくいが、本発明が適用されてもよい。
また、本実施形態では、本発明を時計に適用した場合を示したが、他の構成例として、カーナビゲーションシステムの画面、あるいは、遊技機の画面などに適用されてもよい。
【００８１】
なお、以上に説明した装置（例えば、電気泳動表示装置などの表示装置、あるいは、電子機器）における任意の構成部（例えば、制御部など）の機能を実現するためのプログラムを、コンピューター読み取り可能な記録媒体（記憶媒体）に記録（記憶）し、そのプログラムをコンピューターシステムに読み込ませて実行するようにしてもよい。なお、ここでいう「コンピューターシステム」とは、オペレーティングシステム（ＯＳ：Ｏｐｅｒａｔｉｎｇ  Ｓｙｓｔｅｍ）あるいは周辺機器等のハードウェアを含むものとする。また、「コンピューター読み取り可能な記録媒体」とは、フレキシブルディスク、光磁気ディスク、ＲＯＭ（Ｒｅａｄ  Ｏｎｌｙ  Ｍｅｍｏｒｙ）、ＣＤ（Ｃｏｍｐａｃｔ  Ｄｉｓｋ）−ＲＯＭ等の可搬媒体、コンピューターシステムに内蔵されるハードディスク等の記憶装置のことをいう。さらに「コンピューター読み取り可能な記録媒体」とは、インターネット等のネットワークあるいは電話回線等の通信回線を介してプログラムが送信された場合のサーバーあるいはクライアントとなるコンピューターシステム内部の揮発性メモリー（ＲＡＭ：Ｒａｎｄｏｍ  Ａｃｃｅｓｓ  Ｍｅｍｏｒｙ）のように、一定時間プログラムを保持しているものも含むものとする。
また、上記のプログラムは、このプログラムを記憶装置等に格納したコンピューターシステムから、伝送媒体を介して、あるいは、伝送媒体中の伝送波により他のコンピューターシステムに伝送されてもよい。ここで、プログラムを伝送する「伝送媒体」は、インターネット等のネットワーク（通信網）あるいは電話回線等の通信回線（通信線）のように情報を伝送する機能を有する媒体のことをいう。
また、上記のプログラムは、前述した機能の一部を実現するためのものであってもよい。さらに、上記のプログラムは、前述した機能をコンピューターシステムにすでに記録されているプログラムとの組み合わせで実現できるもの、いわゆる差分ファイル（差分プログラム）であってもよい。
【符号の説明】
【００８２】
１０…駆動領域、１５、１５ａ、１５ｂ…領域、１６…画像形成部、２０…非駆動領域、３０、３０ａ、３０ｂ…隔壁、４０…封止部、５０…分散液、６０、６０ａ、６０ｂ、６０ｃ、６０ｄ…画素電極、６３…透明接着層、７０、７０ａ、７０ｂ…共通電極、８０、８０ａ、８０ｂ、８０ｃ、８０ｄ…マイクロカプセル、１００、１１０、１２０、１３０、１５０…表示装置、５０１…電子ブック、５１１…フレーム、５１２…表示部、５１３…操作部、５５１…腕時計、５６１…表示部、５７１…電子ペーパー、５８１…本体部、５８２…表示部、ＡＲ…領域、ＢＰ１、ＢＰ１ａ、ＢＰ１ｂ…第１基板、ＢＰ２、ＢＰ２ａ、ＢＰ２ｂ…第２基板、ＣＦＣ、ＣＦＤ１、ＣＦＤ２、ＣＦＤ３…覆部形状図心、ＣＦＰａ、ＣＦＰａ１、ＣＦＰａ２、ＣＦＰａ３、ＣＦＰｂ、ＣＦＰｂ１、ＣＦＰｂ２、ＣＦＰｂ３…表示形状図心、ＣＰＤａ１、ＣＰＤａ１１、ＣＰＤａ１２、ＣＰＤａ１３…第１被覆長、ＣＰＤａ２、ＣＰＤａ２１、ＣＰＤａ２２、ＣＰＤａ２３…第２被覆長、ＣＰＤｂ１、ＣＰＤｂ１１、ＣＰＤｂ１２、ＣＰＤｂ１３…第１被覆長、ＣＰＤｂ２、ＣＰＤｂ２１、ＣＰＤｂ２２、ＣＰＤｂ２３…第２被覆長、ＣＶ、ＣＶ１１、ＣＶ１２、ＣＶ１３、ＣＶ１５…覆い部、Ｌ１、Ｌ１１、Ｌ１２、Ｌ１３…第１直線、Ｌ２、Ｌ２１、Ｌ２２、Ｌ２３…第２直線、ＬＣＤ…反射型、ＬＤ…光源、ＬＰ…導光板、ＯＣＡ…透明接着層、Ｐ１１ａ、Ｐ１１ｂ、Ｐ１２ａ、Ｐ１２ｂ、Ｐ１３ａ、Ｐ１３ｂ、Ｐ１５ａ、Ｐ１５ｂ、Ｐ１ａ、Ｐ１ｂ…表示パネル、ＲＤ…視認可能距離、ＲＤ１、ＲＤ２、ＲＤ３、ＲＤ４…距離、ＷＬ１、ＷＬ２…閾値線、ＷＰＤ…曲線、θ１、θ２、θ３、θ４…角度、θｉ…視認角度
【図１】
2017116822.tif 000004
【図２】
2017116822.tif 000005
【図３】
2017116822.tif 000006
【図４】
2017116822.tif 000007
【図５】
2017116822.tif 000008
【図６】
2017116822.tif 000009
【図７】
2017116822.tif 000010
【図８】
2017116822.tif 000011
【図９】
2017116822.tif 000012
【図１０】
2017116822.tif 000013
【図１１】
2017116822.tif 000014
【図１２】
2017116822.tif 000015
【図１３】
2017116822.tif 000016